(57)【要約】【課題】被写体の視認性および動体の追尾性等を向上させる。【解決手段】光学ファインダーは、レンズ交換式のカメラ本体に取り付けが可能であり、変倍可能な対物レンズ群３３０を有する実像式ファインダー光学系３０１と、対物レンズ群３３０を光軸方向に駆動するステッピングモータ３０５と、ＰＩ３０６の検出結果を受けて、ステッピングモータ３０５を駆動制御する制御回路とを有する。制御回路は、カメラ本体に焦点距離変倍レンズ（交換レンズ）が装着されたとき、焦点距離変倍レンズの焦点距離に応じてステッピングモータ３０５を駆動制御し、ＥＶＦパネル３０７には少なくとも撮影画枠を表示する。【選択図】図４
2014191110.tif 000002
【特許請求の範囲】
【請求項１】
レンズ交換式のカメラ本体に取り付け可能に構成された光学ファインダーであって、
変倍可能な対物レンズ群を有する実像式ファインダー光学系と、
前記対物レンズ群のうちの少なくとも１つの対物レンズを光軸方向に駆動する駆動源と、
前記少なくとも１つの対物レンズの位置を検出する検出器と、
前記検出器の検出結果を受けて、前記駆動源を駆動制御する制御回路と、
前記カメラ本体と電気的に接続可能な電気接点と、
前記対物レンズ群の焦点面に配置され、前記カメラ本体に装着される交換レンズの撮影画枠より広い視野枠と、
接眼側から見て前記焦点面と光学的に等価であり、かつ前記視野枠と異なる位置に設けた表示装置とを有し、
前記制御回路は、前記カメラ本体に前記交換レンズとして焦点距離変倍レンズが装着されたとき、前記カメラ本体から前記電気接点を介して受けた前記焦点距離変倍レンズの焦点距離の情報に応じて、前記駆動源を駆動制御して前記対物レンズ群の倍率を調整し、前記表示装置に少なくとも前記撮影画枠を表示する、
光学ファインダー。
【請求項２】
請求項１記載の光学ファインダーにおいて、
前記制御回路は、被写体距離が所定の距離よりも近接したとき、パララックス補正を行うために、前記表示装置における前記撮影画枠の位置を前記被写体距離に応じて移動する、
光学ファインダー。
【請求項３】
請求項１または２に記載の光学ファインダーにおいて、
前記カメラ本体から受けた電源電圧をＤＣ／ＤＣ変換して、所定の電源電圧を生成するＤＣ／ＤＣコンバータをさらに有し、
前記制御回路および前記駆動源は、前記ＤＣ／ＤＣコンバータから電源電圧の供給を受ける、
光学ファインダー。
【請求項４】
請求項３記載の光学ファインダーにおいて、
前記ＤＣ／ＤＣコンバータは、前記カメラ本体における汎用のＸ接点端子を介して前記カメラ本体からの電源電圧の供給を受ける、
光学ファインダー。
【請求項５】
請求項１または２に記載の光学ファインダーにおいて、
前記カメラ本体の汎用ホットシューに取り付け可能に構成されている、
光学ファインダー。
【請求項６】
請求項１または２に記載の光学ファインダーにおいて、
前記電気接点は、前記カメラ本体における外付けのフラッシュ装置用の通信接点を介して前記カメラ本体と電気的に接続される、
光学ファインダー。
【請求項７】
請求項１または２に記載の光学ファインダーにおいて、
前記駆動源は、ステッピングモータである、
光学ファインダー。
【請求項８】
請求項１または２に記載の光学ファインダーにおいて、
前記表示装置に使用する電力および映像信号を外付けのフラッシュ装置用の通信接点およびＸ接点端子以外の電気接点を介して受ける、
光学ファインダー。
【請求項９】
請求項１または２に記載の光学ファインダーにおいて、
前記表示装置および前記制御回路に使用する電力を外付けフラッシュ装置用の通信接点およびＸ接点端子以外の電気接点を介して受ける、
光学ファインダー。
【請求項１０】
請求項１または２に記載の光学ファインダーにおいて、
前記焦点面と光学的に等価であり、かつ前記視野枠と異なる位置に設けた表示装置は、ＥＶＦ表示装置である、
光学ファインダー。
【請求項１１】
請求項１０に記載の光学ファインダーにおいて、
前記対物レンズ群を通過した入射光を遮光する遮光位置と、当該入射光の通過を許容する退避位置との間で移動可能に構成された遮光板を有し、
前記制御回路は、前記焦点距離変倍レンズの焦点距離が前記対物レンズ群によって設定可能な焦点距離の範囲内であったとき、前記遮光板を前記退避位置に移動する一方、前記焦点距離変倍レンズの焦点距離が前記対物レンズ群によって設定可能な焦点距離の範囲外であったとき、前記遮光板を前記遮光位置に移動し、前記ＥＶＦ表示装置に前記カメラ本体から映像信号を表示する、
光学ファインダー。
【発明の詳細な説明】
【技術分野】
【０００１】
本開示は、静止画または動画の撮影が可能なレンズ交換式のカメラ本体に取り付け可能な光学ファインダーに関する。
【背景技術】
【０００２】
特許文献１は、デジタル一眼レフカメラにおけるＯＶＦ（Optical View Finder）とＥＶＦ（Electronic View Finder）とを切り替えて観察像を取得する手段を開示している。この文献では撮影レンズから透過した被写体像をミラーで反射させて結像させ、プリズム／レンズ／ミラーを種々組み合わせて観察者近傍で２次結像させて接眼レンズによって拡大観察できるようにしている。さらに、上記の２次結像面と光学的に等しい距離にあるＥＶＦパネルを有し、ミラーの駆動もしくはハーフミラーによって、ＯＶＦとＥＶＦの観察を切り替えて取得する手段を達成している。
【０００３】
特許文献２は、カメラレンズとは別に設けた、カメラ一体型外光式ガリレオファインダーをミラーとハーフミラーとによって構成し、ハーフミラーを透過してＥＶＦパネルを観察するように構成し、ＯＶＦとＥＶＦの両方の観察像を視認可能としている。
【先行技術文献】
【特許文献】
【０００４】
【特許文献１】特開２００６−２６７３８０号公報
【特許文献２】特開平６−２２１８５号公報
【発明の概要】
【発明が解決しようとする課題】
【０００５】
本開示は、被写体の視認性に優れかつ動体の追尾性を向上させた、レンズ交換型のカメラ本体に取り付け可能な光学ファインダー（以下、外付け光学ファインダーともいう）を提供する。また、カメラ本体に取り付けられる交換レンズが交換された際においても、焦点距離の調整が可能な外付け光学ファインダーを提供する。
【０００６】
さらに、パララックスの補正が可能な外付け光学ファインダーを提供する。
【課題を解決するための手段】
【０００７】
レンズ交換式のカメラ本体に取り付け可能に構成された本開示に係る光学ファインダーは、変倍可能な対物レンズ群を有する実像式ファインダー光学系と、対物レンズ群のうちの少なくとも１つの対物レンズを光軸方向に駆動する駆動源と、少なくとも１つの対物レンズの位置を検出する検出器と、検出器の検出結果を受けて、駆動源を駆動制御する制御回路と、カメラ本体と電気的に接続可能な電気接点と、対物レンズ群の焦点面に配置され、カメラ本体に装着される交換レンズの撮影画枠より広い視野枠と、接眼側から見て焦点面と光学的に等価であり、かつ視野枠と異なる位置に設けた表示装置とを有し、制御回路は、カメラ本体に交換レンズとして焦点距離変倍レンズが装着されたとき、カメラ本体から電気接点を介して受けた焦点距離変倍レンズの焦点距離の情報に応じて、駆動源を駆動制御して対物レンズ群の倍率を調整し、表示装置に少なくとも撮影画枠を表示する。
【０００８】
この態様によると、制御回路は、表示装置には少なくとも撮影画枠を表示するとともに、駆動源を駆動制御して対物レンズ群の倍率を調整する。これにより、撮影者は、交換レンズ（焦点距離変倍レンズ）の焦点距離に応じて調整された対物レンズ群を透過した実像式の被写体像と、表示装置に表示された交換レンズの撮影画枠とを同時に確認しながら撮影することができる。したがって、撮影者は、被写体の視認性に優れた状態で撮影をすることができる。また、光学ファインダーによって被写体像を確認しているため、動体の追尾性が高い。さらに、交換レンズの撮影画枠より広い視野枠を有しているため、撮影画枠の周辺を確認することができ、動体の撮影画枠への侵入などの動体の動きを予測した撮影が可能となる。
【発明の効果】
【０００９】
本開示における技術によれば、被写体の視認性に優れかつ動体の追尾性を向上させた光学ファインダーを得ることができる。
【図面の簡単な説明】
【００１０】
【図１】実施の形態におけるカメラシステムの構成を示すブロック図である。
【図２】実施の形態におけるカメラ本体の背面図である。
【図３】実施の形態におけるカメラ本体の平面図である。
【図４】実施の形態における光学ファインダーの構成を示す主要構成図であり、（ａ）正面図、（ｂ）側面図および（ｃ）平面図である。
【図５】実施の形態におけるカメラ本体および光学ファインダーの動作について説明するための図である。
【図６】実施の形態における表示画枠への撮影画枠の表示について説明するための図である。
【図７】実施の形態におけるパララックス補正を説明するための図である。
【発明を実施するための形態】
【００１１】
文献１のデジタル一眼レフカメラにおいては、一眼レフタイプであるため撮影レンズと撮像素子の間に主ミラーを駆動可能に設ける必要があり、フランジバックが長くなり光学系設計の自由度が狭くなるだけでなく、コストアップの要因となる。また、２次結像をさせるためプリズムや多数のミラー、レンズを必要とし、大型化だけでなく多大なコストアップ要因となっている。  
【００１２】
文献２におけるカメラではカメラレンズがズーム方式であるにもかかわらず、外光式ガリレオファインダーの対物レンズはズームに対応できず、一定の画角を示すに過ぎない。また、ＥＶＦによる画像はズームに対応できるが、一定の画角のＯＶＦにスーパーインポーズして画像を合わせるため、望遠端でのＥＶＦ表示は非常に小さくなり視認が難しいばかりでなく、ＯＶＦとＥＶＦ画像の合致は、カメラレンズの誤差による光軸ズレの補正など完全に取るには非常に難しい要素があることは明白である。
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者（ら）は、当業者が本開示を十分に理解するために添付図面および以下の説明を提供するのであって、これらによって特許請求の範囲に記載の主題を限定することを意図するものではない。
【００１５】
（実施の形態）
以下、図１から図５を用いて、実施の形態を説明する。
【００１６】
［１．カメラシステムの構成］
図１は実施の形態に係るカメラシステムの構成を示すブロック図である。
【００１７】
図１に示すように、カメラシステム１Ａは、汎用のアクセサリーシュー１８５およびソケット１８０を搭載した交換レンズ式のデジタルカメラシステムであって、主に、カメラシステム１Ａの主要な機能を有するカメラ本体１００と、カメラ本体１００に取り外し可能に装着された交換レンズ（焦点距離変倍レンズ）としてのレンズユニット２００とを備えている。なお、以下の説明において、「前」とは、被写体側を、「後」とは、撮影者側を指すものとする。また、撮影者とは、カメラシステム１Ａの使用者を意味する。
【００１８】
［１−１．カメラ本体］
図１から図３を用いて、カメラ本体１００の概略構造を説明する。図２は、実施の形態に係るカメラ本体１００の背面図であり、図３はカメラ本体１００の平面図である。
【００１９】
図１に示すように、カメラ本体１００は、主に、ＣＭＯＳ（Complementary Metal Oxide Semiconductor）イメージセンサー１１０と、ＣＭＯＳ回路基板１１３と、カメラコントローラー１４０を含むメイン回路基板と、電源１６０と、カードスロット１７０と、フォーカルプレーンシャッタ装置１９０とを備えている。また、図２に示すように、カメラ本体１００の上面にはアクセサリーシュー１８５が設けられており、カメラ本体１００の上面および背面にはユーザーによる操作を受け付ける操作部１３０が設けられている。また、カメラ本体１００の背面には、カメラモニタ１２０および後述するプラグ３１１を嵌めるためのソケット１８０が設けられている。さらに、図３に示すように、カメラ本体１００の前面には、ボディマウント１５０が設けられている。
【００２０】
ＣＭＯＳイメージセンサー１１０（撮像素子の一例）は、レンズユニット２００を介して入射される被写体の光学像（以下、被写体像ともいう）を画像データに変換する。生成された画像データは、ＣＭＯＳ回路基板１１３のＡＤコンバータ１１１によってデジタル化される。ＡＤコンバータ１１１によってデジタル化された画像データは、カメラコントローラー１４０によって様々な画像処理が施される。ここで言う様々な画像処理とは、例えば、ガンマ補正処理、ホワイトバランス補正処理、キズ補正処理、ＹＣ変換処理、電子ズーム処理、ＪＰＥＧ（Joint Photographic Experts Group）圧縮処理等である。
【００２１】
ＣＭＯＳ回路基板１１３は、ＣＭＯＳイメージセンサー１１０を制御する回路基板である。ＣＭＯＳ回路基板１１３は、ＣＭＯＳイメージセンサー１１０から出力される画像データに所定の処理を施す回路基板であり、上記のＡＤコンバータ１１１に加えてタイミング発生器１１２を含む。ＣＭＯＳ回路基板１１３は、撮像素子を駆動制御し、撮像素子から出力される画像データにＡＤ変換等の所定の処理を施す。
【００２２】
ＣＭＯＳイメージセンサー１１０は、ＣＭＯＳ回路基板１１３のタイミング発生器１１２で生成されるタイミング信号に基づいて動作する。ＣＭＯＳイメージセンサー１１０は、ＣＭＯＳ回路基板１１３の制御を受けて、静止画データおよび動画データの取得を行う。取得された動画データは、スルー画像の表示にも用いられる。なお、静止画データおよび動画データは、上述の画像データの一例である。
【００２３】
ここで、スルー画像とは、動画データのうちメモリーカード１７１に記録されない画像である。スルー画像は、主に動画像であり、動画像または静止画像の構図を決めるためにカメラモニタ１２０に表示される。
【００２４】
ＣＭＯＳイメージセンサー１１０は、スルー画像として用いられる低解像度の動画像の取得と、記録用として用いられる高解像度の動画像の取得とが可能である。高解像度の動画像としては、例えば、ＨＤサイズ（ハイビジョンサイズ：１９２０×１０８０画素）の動画像が考えられる。なお、ＣＭＯＳイメージセンサー１１０は被写体の光学像を電気的な画像信号に変換する撮像素子の一例である。撮像素子は、ＣＭＯＳイメージセンサー１１０の他に、ＣＣＤイメージセンサー等の光電変換素子を含む概念である。
【００２５】
カメラモニタ１２０は、例えば液晶ディスプレイであり、表示用画像データが示す画像等を表示する。表示用画像データは、カメラコントローラー１４０で生成される。表示用画像データは、例えば、画像処理された画像データ、カメラシステム１Ａの撮影条件、操作メニュー等を画像として表示するためのデータである。カメラモニタ１２０は、動画像も静止画像も選択的に表示可能である。
【００２６】
カメラモニタ１２０は、カメラ本体１００に設けられている。本実施形態では、カメラ本体１００の背面に配置されているが、カメラモニタ１２０はカメラ本体１００のどこに配置されていてもよい。なお、カメラモニタ１２０はカメラ本体１００に設けられた表示部の一例である。表示部としては、他にも、有機ＥＬ（Electro-Luminescence）、無機ＥＬ、プラズマディスプレイパネル等、画像を表示できるものを用いることができる。
【００２７】
操作部１３０は、カメラ本体１００の上面に設けられたユーザーによるフォーカルプレーンシャッタ操作を受け付けるレリーズ釦１３１および電源スイッチ１３２を含む。操作部１３０は、ユーザーによる操作を受け付けることができればよく、ボタン、レバー、ダイアル、タッチパネル等を含む。
【００２８】
カメラコントローラー１４０は、カメラ本体１００の各部を制御する。カメラコントローラー１４０は、操作部１３０からの指示を受け付ける。カメラコントローラー１４０は、レンズユニット２００を制御するための信号を、ボディマウント１５０およびレンズマウント２５０を介してレンズコントローラー２４０に送信し、レンズユニット２００の各部を間接的に制御する。すなわち、カメラコントローラー１４０は、カメラシステム１Ａ全体を制御する。
【００２９】
カメラコントローラー１４０は、ＣＭＯＳ回路基板１１３を制御する。具体的には、カメラコントローラー１４０はＣＭＯＳ回路基板１１３に制御信号を送信し、ＣＭＯＳ回路基板１１３は受信した制御信号に基づきＣＭＯＳイメージセンサー１１０を制御する。つまり、カメラコントローラー１４０は、ＣＭＯＳイメージセンサー１１０を制御する。また、カメラコントローラー１４０は、ＣＭＯＳイメージセンサー１１０により生成され、ＣＭＯＳ回路基板１１３によってＡＤ変換等の所定の処理が施された画像データを取得し、さらに処理を施す。具体的には、例えば、ＣＭＯＳ回路基板１１３により処理された画像データから、表示用画像データや記録用動画データなどを生成する。
【００３０】
カードスロット１７０は、メモリーカード１７１を装着可能である。カードスロット１７０は、カメラコントローラー１４０から送信される制御信号に基づいて、メモリーカード１７１を制御する。具体的には、カードスロット１７０は、メモリーカード１７１に画像データを格納する。カードスロット１７０は、メモリーカード１７１から画像データを出力する。また、メモリーカード１７１に動画データを格納する。カードスロット１７０は、メモリーカード１７１から動画データを出力する。
【００３１】
メモリーカード１７１は、カメラコントローラー１４０が画像処理により生成した画像データを格納可能である。例えば、メモリーカード１７１は、非圧縮のＲＡＷ画像ファイルや圧縮されたＪＰＥＧ画像ファイル等を格納できる。また、メモリーカード１７１は、あらかじめ内部に格納された画像データまたは画像ファイルを、カードスロット１７０を介して出力できる。メモリーカード１７１から出力された画像データまたは画像ファイルは、カメラコントローラー１４０で画像処理される。例えば、カメラコントローラー１４０は、メモリーカード１７１から取得した画像データまたは画像ファイルに伸張処理を施し、表示用画像データを生成する。
【００３２】
メモリーカード１７１は、さらに、カメラコントローラー１４０が画像処理により生成した動画データを格納可能である。例えば、メモリーカード１７１は、動画圧縮規格であるＨ．２６４／ＡＶＣに従って圧縮された動画ファイルを格納できる。また、メモリーカード１７１は、あらかじめ内部に格納された動画データまたは動画ファイルを、カードスロット１７０を介して出力できる。メモリーカード１７１から出力された動画データまたは動画ファイルは、カメラコントローラー１４０で画像処理される。例えば、カメラコントローラー１４０は、メモリーカード１７１から取得した動画データまたは動画ファイルに伸張処理を施し、表示用動画データを生成する。なお、メモリーカード１７１に代えて、例えば、カメラシステム１Ａに固定されている記憶部によって画像データや画像ファイル等を格納してもよい。
【００３３】
電源１６０は、カメラシステム１Ａで使用するための電力を各部に供給する。電源１６０は、例えば、乾電池であってもよいし、充電池であってもよい。また、電源１６０は、電源コード等を介して外部の電源から電力の供給を受け、カメラシステム１Ａに電力を供給するユニットであってもよい。
【００３４】
ボディマウント１５０は、レンズマウント２５０と係合可能に構成されており、このレンズマウント２５０との係合によって、レンズユニット２００を支持する。ボディマウント１５０は、電気接点（図示しない）を有しており、レンズマウント２５０と係合したときに、その電気接点を介してレンズマウント２５０の電気接点（図示しない）と電気的に接続される。これにより、カメラ本体１００は、ボディマウント１５０およびレンズマウント２５０を介して、レンズユニット２００との間で、双方向にデータおよび制御信号のうちの少なくともいずれか一方を送受信することができる。
【００３５】
フォーカルプレーンシャッタ装置１９０は、ＣＭＯＳイメージセンサー１１０の前側に配置されている。フォーカルプレーンシャッタ装置１９０は、後述する光学系ＬからＣＭＯＳイメージセンサー１１０に向かう光を遮蔽する状態と、光学系ＬからＣＭＯＳイメージセンサー１１０に向かう光を透過する状態とを有する。フォーカルプレーンシャッタ装置１９０は、ＣＭＯＳイメージセンサー１１０の露光時間を制御する。
【００３６】
アクセサリーシュー１８５は、後述する光学ファインダー３００、外付けフラッシュ、電子ビューファインダ等を取り付けるための機械的および電気的な接続部である。アクセサリーシュー１８５は、電気的な接点であるＸ接点端子１３３および通信接点としてのシリアル通信ポート１３４を有しており、そのアクセサリーシュー１８５に取り付けられる機器（例えば光学ファインダー３００）との間で、双方向にデータおよび制御信号のうちの少なくともいずれか一方を送受信することができる。
【００３７】
図２に示すように、アクセサリーシュー１８５は、カメラ本体１００の上面から上方向に突出するように設けられた一対の側方部１８５ａと、一対の側方部１８５ａとそれぞれ連続しており、各側方部１８５ａから内方に向かって延びる一対の上方部１８５ｂとを有する。一対の側方部１８５ａ間の距離は、後述する光学ファインダー３００の足取付部３６０の接続部３６０ｃよりも若干広く設定されている。また、一対の上方部１８５ｂは、足取付部３６０の支持部３６０ｂよりも若干広く開口している。これにより、カメラの背面側から前側（図３の矢印Ａ方向）に向かって、足取付部３６０をアクセサリーシュー１８５に挿入し、取りつけることが可能となる。
【００３８】
また、Ｘ接点端子１３３およびシリアル通信ポート１３４は、フラッシュ装置のためのＸ接点端子およびフラッシュ装置のための通信接点と兼用してもよい。これにより、既存のデジタルカメラに標準搭載されているＸ接点端子および通信接点を使用することができるため、本開示に係る光学ファインダーのために新たな部品や端子（接点）を設ける必要がない。
【００３９】
ソケット１８０は、カメラ本体１００背面におけるアクセサリーシュー１８５の下方に設けられている。後述する光学ファインダー３００のプラグ３１１がカメラの背面側から前側（図３の矢印Ａ方向）に向かってソケット１８０に嵌め込まれることによって、カメラ本体１００とアクセサリーシュー１８５とが電気的に接続される。なお、ソケット１８０およびプラグ３１１の構成は、カメラ本体１００と光学ファインダー３００とが電気的に接続されるための一例である。
【００４０】
なお、アクセサリーシュー１８５として、汎用のホットシューを用いてもよい。すなわち、汎用のホットシューと、Ｘ接点端子、シリアル通信ポートおよびソケットのいずれか１つとを備えた撮像装置であれば、本態様における光学ファインダー３００は、本態様におけるカメラシステム以外の撮像装置にも搭載可能である。
【００４１】
［１−２．レンズユニット］
レンズユニット２００は、最後部に設けられたレンズマウント２５０を介して、カメラ本体１００の前面に設けられたボディマウント１５０に装着可能であり、被写体の光学像を形成する。具体的には、レンズユニット２００は、図１に示すように、光学系Ｌと、駆動部２１５と、レンズマウント２５０と、絞りユニット２６０と、レンズコントローラー２４０と、レンズ筒２９０とを有している。
【００４２】
レンズ筒２９０は、主に、光学系Ｌと、レンズコントローラー２４０と、レンズマウント２５０と、絞りユニット２６０と、ＤＲＡＭ２４１と、フラッシュメモリ２４２とを内部に収容する。また、レンズ筒２９０の外部には、ズームリング２１３と、フォーカスリング２３４と、ＯＩＳスイッチ２２４とが設けられている。
【００４３】
光学系Ｌは、光学系Ｌの焦点距離を変化させるためのズームレンズ群２１０と、光学系Ｌによって形成される被写体像のＣＭＯＳイメージセンサー１１０に対するぶれを抑制するためのＯＩＳ（Optical Image Stabilizer）レンズ２２０と、光学系ＬがＣＭＯＳイメージセンサー１１０上に形成する被写体像のフォーカス状態を変化させるためフォーカスレンズ２３０とを有している。
【００４４】
絞りユニット２６０は光学系Ｌを透過する光の量を調整する光量調整部材である。具体的には、絞りユニット２６０は、光学系Ｌを透過する光の光線の一部を遮蔽可能な絞り羽根（図示せず）と、絞り羽根を駆動する絞り駆動部（図示せず）とを有している。
【００４５】
レンズコントローラー２４０は、カメラコントローラー１４０から送信される制御信号に基づいて、レンズユニット２００全体を制御する。レンズコントローラー２４０は、カメラコントローラー１４０との送受信を、レンズマウント２５０およびボディマウント１５０を介して行う。
【００４６】
駆動部２１５は制御信号に基づいて、電動ズーム可能なレンズユニットの場合、ズームレンズ群２１０、ＯＩＳレンズ２２０、および／またはフォーカスレンズ２３０の位置を調節する。なお、駆動部２１５は、ズームレンズ群２１０、ＯＩＳレンズ２２０、およびフォーカスレンズ２３０の位置をアクチュエータによって調整してもよいし、機械的な方法によって調整してもよい。
【００４７】
ズームリング２１３は、焦点距離を操作するための筒状の部材であり、レンズ筒２９０の外周面で回転可能である。ズームリング２１３の回転に応じて、ズーム位置検出器２１６は焦点距離を検出する。
【００４８】
フォーカスリング２３４は筒状の部材であり、レンズ筒２９０の外周面で回転可能である。フォーカスリング２３４は、光学系がＣＭＯＳイメージセンサー１１０上に形成する被写体像のフォーカス状態を操作する。フォーカスリング２３４の回転に応じて、フォーカス位置検出器２３５はフォーカスレンズ２２０の位置を検出する。
【００４９】
ＯＩＳスイッチ２２４は、ＯＩＳを操作するための操作部の一例である。ＯＩＳスイッチ２２４をＯＦＦにするとＯＩＳレンズ２２０は動作しない。一方で、ＯＩＳスイッチ２２４をＯＮにするとＯＩＳレンズ２２０は動作可能となる。
【００５０】
［２．光学ファインダーの構成］
図４は光学ファインダー３００の構成を示す主要構成図であり、（ａ）正面図、（ｂ）側面図、および（ｃ）平面図である。
【００５１】
図４（ｃ）に示すように、光学ファインダー３００は、主に、変倍可能な対物レンズ群３３０を有するファインダー光学系３０１と、対物レンズ群３３０を駆動する駆動源としてのステッピングモータ３０５と、ステッピングモータ３０５を駆動制御する制御回路（例えばマイコン）等を搭載する回路基板３０８と、光軸（ＡＺ）と平行な回転軸（Ｙ）回りに回転可能に構成されたカム軸３０３と、検出器としてのフォトインタラプタ（以下ＰＩともいう）３０６と、遮光板３２０と、ＥＶＦパネル３０７と、アクセサリー筐体３５０とを有する。
【００５２】
ファインダー光学系３０１は、対物レンズ群３３０と、ダハプリズム３０１ｃと、視野枠３０１ｇ（焦点面）と、第１プリズム３０１ｄと、第２プリズム３０１ｅと、接眼レンズ群３０１ｆとを有する。視野枠３０１ｇは、対物レンズ群３３０の焦点面に配置されており、具体的には、ダハプリズム３０１ｃと第１プリズム３０１ｄとの間に設けられている。視野枠３０１ｇの開口量は、撮影レンズの撮影画枠より広く形成されている。
【００５３】
カム軸３０３は、円柱状に形成された軸部３０３ｃと、軸部３０３ｃからＰＩ３０６に向かって軸直方向外方に突出するように取り付けられ、ＰＩ３０６によって基準位置を検出するために用いるエンコーダ羽３０３ａと、軸部３０３ｃと同心筒状であり、内径が軸部３０３ｃの外径と略等しく、外径が軸部３０３ｃよりも大きい端面カム３０３ｂとを有する。端面カム３０３ｂの回転軸（Ｙ）方向の両側端面角部は、その一部が端面カム３０３ｂの軸方向の両側から軸方向の内側に向かってそれぞれに所定の傾きで傾斜する傾斜面を有するように切り欠かれている。軸部３０３ｃと、エンコーダ羽３０３ａおよび端面カム３０３ｂとは回転軸（Ｙ）回りに一体に回転する。
【００５４】
対物レンズ群３３０は、第１ズームレンズ３０１ａおよび第２ズームレンズ３０１ｂを有しており、光軸（ＡＺ）上を移動して被写体像の倍率の変化（以下、変倍動作ともいう）を行う。具体的には、第１ズームレンズ３０１ａと第２ズームレンズ３０１ｂとは、光軸（ＡＺ）と平行に設けられたガイド軸３０２に取り付けられた付勢ばね３０４によって、光軸（ＡＺ）上において引き合う方向に付勢されており、第１および第２ズームレンズ３０１ａ，３０１ｂ間で端面カム３０３ｂの光軸（ＡＺ）方向の両端を挟持している。
【００５５】
ステッピングモータ３０５は、カム軸３０３の軸部３０３ｃと直結されており、軸部３０３ｃを回転軸（Ｙ）回りに回転駆動する。この回転駆動によって、端面カム３０３ｂがカム軸３０３の軸部３０３ｃと一体に回転する。これにより、第１および第２ズームレンズ３０１ａ，３０１ｂは、端面カム３０３ｂの傾斜面に沿って動くため、結果として光軸（ＡＺ）上を移動する。なお、駆動源として、ステッピングモータ以外のモータを使用してもかまわない。
【００５６】
エンコーダ羽３０３ａは、カム軸３０３の軸部３０３ｃと一体に回転し、対物レンズ群３０３が基準位置にあるときに、フォトインタラプタ３０６の発光部と受光部との間に位置するように構成されている。これにより、対物レンズ群３３０（第１および第２ズームレンズ３０１ａ，３０１ｂ）が基準位置にあるか否かを検出する。
【００５７】
遮光板３２０は、遮光板回転軸３２０ａに回転可能に取り付けられており、遮光板回転軸３２０ａを中心に遮光位置と退避位置との間で回転移動する。遮光位置とは、遮光板３２０が対物レンズ群３３０とダハプリズム３０１ｃとの間の光の通過を遮蔽する位置である。一方で退避位置とは、上記光の通過を許容する位置である。
【００５８】
遮光板３２０の具体的な構成および動作の一例を示す。カム軸３０３の回転によって光学ファインダー３００の対物レンズ群３３０が望遠端または広角端に配置された状態から、さらにカム軸３０３が回転することによって、遮光板回転軸３２０ａが回転し、遮光板３２０は、遮光位置であるダハプリズム３０１ｃの前に挿入されるように構成されている。一方で、カム軸３０３が対物レンズ群３３０を望遠端から広角端の間で移動させている際には、遮光板３２０は退避位置に移動するように構成されている。なお、図４（ａ）では、遮光板３２０が退避位置にある場合の例を示している。
【００５９】
第１プリズム３０１ｄおよび第２プリズム３０１ｅは三角柱であり、底面の長辺側の側面同士が互いに接合されている。接眼レンズ群３０１ｆは、光軸（ＡＺ）と直交する方向に移動して視度調整を行う。
【００６０】
ＥＶＦパネル３０７は、接眼側から見て、その表示面が上記の焦点面と光学的に等価な位置となるように配置されている。
【００６１】
図４（ａ），（ｂ）に示すように、光学ファインダー３００は、電気接点としての複数のシリアル交信接点３１０と、各シリアル交信接点３１０を付勢する複数の付勢ばね３１２と、プラグ３１１とをさらに有する。
【００６２】
アクセサリー筐体３５０は、第１の筐体部３５０ａおよび第２の筐体部３５０ｂを有する。
【００６３】
第１の筐体部３５０ａには、主に、ファインダー光学系３０１、ステッピングモータ３０５、回路基板３０８、カム軸３０３、フォトインタラプタ３０６、遮光板３２０およびＥＶＦパネル３０７が収容されている。
【００６４】
第２の筐体部３５０ｂは、第１の筐体部３５０ａと一体に形成され、第１の筐体部３５０ａから下方に突出するように形成されている。第２の筐体部３５０ｂは、アクセサリーシュー１８５への取り付けが可能に構成された足取付部３６０と、足取付部３６０と一体に形成され、足取付部３６０から下方に向かって延びるプラグ取付部３７０とを有する。
【００６５】
足取付部３６０は、図４（ａ）に示すように、第１の筐体部３５０ａの底面から下方に突出する支持部３６０ｂと、支持部３６０ｂの下方に一体に形成され、支持部３６０ｂよりも図４（ａ）における横方向の幅が広い接続部３６０ｃと、接続部３６０ｃの背面側において、接続部３６０ｃと第１の筐体部３５０ａとの間を接続するストッパ３６０ａとを有する。足取付部３６０がアクセサリーシュー１８５に挿入されたとき、アクセサリーシュー１８５の後方側の端部がストッパ３６０ａによって係止され、光学ファインダー３００がカメラ本体１００に固定される。
【００６６】
各シリアル交信接点３１０は、導電性の材料によって円柱状に形成され、かつ軸方向端面の円周角部が丸みを帯びている円柱部３１０ａを有し、円柱部３１０ａの軸方向中央部分に軸直方向に突出した突起部３１０ｂが一体に形成されている。
【００６７】
接続部３６０ｃには、カメラ本体１００のシリアル通信ポート１３４に対応する位置に形成され、外径が円柱部３１０ａの外径よりも若干広い複数（例えば３つ）の孔が形成されている。また、接続部３６０ｃの上面には、上記の各孔と同心であり、その外径が突起部３１１ｂの外径よりも若干大きい溝が上記の孔と連続して形成されている。
【００６８】
各シリアル交信接点３１０は、接続部３６０ｃに形成れた孔に上方から挿入され、各付勢ばね３１２によって下方に付勢されている。このような構成とすることにより、各シリアル交信接点３１０は、足取付部３６０がアクセサリーシュー１８５に挿入されたとき、それぞれに対応するシリアル通信ポート１３４と確実に電気的に接続される。
【００６９】
プラグ３１１は、カメラ本体１００のソケット１８０に挿入可能に構成されている。具体的には、プラグ３１１は、プラグ取付部３７０のソケット１８０と対応する位置に取り付けられており、かつ挿入端部が前方に突出している。そして、足取付部３６０がアクセサリーシュー１８５に取り付けられたとき、プラグ３１１は、カメラ本体１００のソケット１８０に嵌め込まれ、カメラ本体１００と光学ファインダー３００とを電気的に接続させる。
【００７０】
［３．動作］
［３−１．カメラ本体へのレンズユニットの取付］
カメラ本体１００にレンズユニット２００が取り付けられた場合におけるカメラ本体１００およびレンズユニット２００の動作について、図１を用いて説明する。なお、レンズユニット２００は、電動ズームまたは手動ズームが可能なレンズユニットであるものとする。
【００７１】
レンズコントローラー２４０は、駆動部２１５に含まれる検出部によって検出された光学系Ｌの位置情報を受信して、カメラコントローラー１４０に送信する。カメラコントローラー１４０は、受信した位置情報を処理し、制御信号をレンズコントローラー２４０に送信する。レンズコントローラー２４０は、カメラコントローラー１４０からの制御信号を受信し、駆動部２１５に制御信号を伝える。駆動部２１５は、制御信号に基づいてズームレンズ群２１０、ＯＩＳレンズ２２０および／またはフォーカスレンズ２３０の位置を調整する。
【００７２】
また、カメラコントローラー１４０は、ＣＭＯＳイメージセンサー１１０が受けた光の量、設定された撮影モード（例えば、静止画撮影／動画撮影）、絞り値が優先的に設定される操作がされているのか否か等の情報に基づいて、絞りユニット２６０に動作を指示する。このとき、レンズコントローラー２４０がカメラコントローラー１４０から絞りユニット２６０への指示を中継する。
【００７３】
レンズコントローラー２４０は、上記の制御の際、ＤＲＡＭ２４１をワークメモリとして使用する。また、フラッシュメモリ２４２は、レンズコントローラー２４０の制御の際に使用するプログラムやパラメータを保存する。
【００７４】
［３−２．カメラ本体への光学ファインダーの取付］
カメラ本体１００にレンズユニット２００が取り付けられた状態において、カメラ本体１００に光学ファインダー３００が取り付けられたときのカメラ本体１００および光学ファインダー３００の動作について、図５を用いて説明する。
【００７５】
カメラコントローラー１４０（図５では撮像装置エンジンと表記）は、レンズユニット２００のレンズコントローラー２４０から受信した光学系Ｌの位置情報をシリアル通信ポート１３４（図５ではＦｌａｓｈ制御と表記）および光学ファインダー３００のシリアル交信接点３１０を介して制御回路としてのマイコン３０８ａに送信する。マイコン３０８ａは、光学ファインダー３００のズームエンコーダ（図示しない）からの信号に基づいて対物レンズ群３３０の焦点距離を検出する。マイコン３０８ａは、受信した光学系Ｌの位置情報と、対物レンズ群３３０の焦点距離情報とに基づいて、ステッピングモータ３０５（図５ではモータと表記）に駆動制御信号を送信する。
【００７６】
ステッピングモータ３０５は、駆動制御信号に基づいて、カム軸３０３を回転駆動して、対物レンズ群３３０を光軸（ＡＺ）方向に移動させる。なお、ステッピングモータ３０５は、電源供給を受けている期間は、オープン制御が可能である。
【００７７】
ここで、フォトインタラプタ３０６は、光学ファインダー３００がカメラ本体１００にセットされたときに基準位置を把握するために用いる。具体的には、マイコン３０８ａは、光学ファインダー３００がカメラ本体１００に装着されたことを検知したとき、ＰＩ３０６からの位置検出信号を受信し、対物レンズ群３３０が基準位置にあるか否かを把握する。なお、光学ファインダー３０３への電源供給が切断された場合、マイコン３０８ａは、ステッピングモータ３０５を駆動して、対物レンズ群３３０を基準位置に戻してもよい。
【００７８】
光学ファインダー３００への電源供給は、カメラ本体１００から実施する。具体的には、電源電圧はカメラコントローラー１４０からソケット１８０および光学ファインダー３００のプラグ３１１を介してＤＣ／ＤＣコンバータ３０８ｂに供給される。なお、光学ファインダー３００は、ソケット１８０およびプラグ３１１を介して、カメラコントローラー１４０から送信されるＥＶＦパネル３０７の表示に使用する表示用画像データを受信してもよい。
【００７９】
ＤＣ／ＤＣコンバータ３０８ｂは、カメラコントローラー１４０から受けた電源電圧をＤＣ／ＤＣ変換して、マイコン３０８ａ、ステッピングモータ３０５およびＥＶＦパネル３０７（図５ではＰａｎｅｌと表記）に供給する。これにより、例えばカメラ本体１００から出力される電源電圧と光学ファインダー３００のマイコン３０８ａ等に供給する電源電圧とが異なる場合においても、カメラ本体１００に光学ファインダー３００を取り付けて使用することが可能となる。マイコン３０８ａは、フォトインタラプタ３０６に電源電圧を供給する。
【００８０】
なお、カメラコントローラー１４０から供給される電源電圧と光学ファインダー３００で使用する電源電圧とが等しい場合は、ＤＣ／ＤＣコンバータ３０８ｂはなくてもかまわない。また、ＤＣ／ＤＣコンバータ３０８ｂは、フラッシュ装置用のＸ接点端子１３３を介して電源電圧の供給を受けてもよい。
【００８１】
なお、カメラ本体１００に光学ファインダー３００が取り付けられた状態において、カメラ本体１００にレンズユニット２００が取り付けられたときもカメラ本体１００および光学ファインダー３００は上述の説明と同一または類似の動作を行う。
【００８２】
［３−３．撮影時のズーム動作（１）］
撮影者等がズーム操作を行う際の動作について説明する。ここでは、レンズユニット２００のズームレンズ群２１０によって設定可能な焦点距離の範囲（以下、単に焦点距離の範囲ともいう）は、光学ファインダー３００の対物レンズ群３３０によって設定可能な焦点距離の範囲よりも狭いものとする。例えば、対物レンズ群３３０が５倍ズームに対応しており、ズームレンズ群２１０が３倍ズームに対応している場合等がこれにあたる。
【００８３】
撮影者等によってレンズユニット２００のズームリング２１３が回転操作されると、ズーム位置検出器２１６は焦点位置を検出して、検出結果をレンズコントローラー２４０に送信する。レンズコントローラー２４０は、ズームレンズ群２１０等の位置を調整するための制御信号を駆動部２１５に送信する。駆動部２１５は、ズームレンズ群２１０等の位置を移動させ、ズームレンズ群２１０の倍率を調整する。さらに、レンズコントローラー２４０は、駆動部２１５に送信した制御信号（焦点距離の情報を含む）をカメラ本体１００のカメラコントローラー１４０にも送信する。
【００８４】
カメラコントローラー１４０は、レンズコントローラー２４０から受けた焦点距離の情報を含む制御信号（以下、単に制御信号ともいう）、および表示用画像データおよび制御信号に基づいて作成した実際に撮影される画枠である撮影画枠を示す撮影画枠信号のうちの少なくともいずれか一つ（以下、コントロール信号と称する）をシリアル通信ポート１３４およびシリアル交信接点３１０を介して、光学ファインダー３００のマイコン３０８ａに送信する。
【００８５】
マイコン３０８ａは、カメラコントローラー１４０から受信したコントロール信号に基づいて、ステッピングモータ３０５に駆動制御信号を送信する。ステッピングモータ３０５は、駆動制御信号に基づいて、カム軸３０３を回転駆動して、対物レンズ群３３０を光軸（ＡＺ）方向に移動させ、対物レンズ群３３０の倍率を調整する。
【００８６】
また、マイコン３０８ａは、受信したコントロール信号に基づいて、ＥＶＦパネル３０７に少なくとも撮影画枠を表示する。なお、例えばマイコン３０８ａは、上記の撮影画枠と共に、アイコンやシャッタースピード等の撮影条件、絞り、撮影モード等を表示してもよい。また、例えばマイコン３０８ａは、撮影画枠と共に、上記のアイコン、撮影条件、絞り、撮影モード等のうちの一部を選択的に表示してもかまわない。このときマイコン３０８ａは、画像データをＥＶＦパネル３０７に出力しない。
【００８７】
これにより、撮影者は、接眼レンズ群３０１ｆを介して、ファインダー光学系３０１を経由して入射された被写体像および撮影画枠を確認しながら撮影することができる。
【００８８】
このとき、光学ファインダー３００の視野枠３０１ｇがレンズユニット２００の撮影画枠より広いため、図６に示すように、光学ファインダー３００の接眼レンズ群３０１ｆから撮影者が視認可能な表示画枠４１０の領域が、撮影画枠４２０の領域よりも少し外側まで表示される。なお、ズームレンズ群２１０がズーム動作をした場合においても、表示画枠４１０には、ズーム前後で同じ幅および同じ高さの撮影画枠４２０が表示される（図６（ａ）〜図６（ｃ）参照）。
【００８９】
このような構成とすることによって、ズームレンズ群２１０の焦点距離と対物レンズ群３３０の焦点距離とを同期させることができるとともに、表示画枠４１０内の所定の位置に撮影画枠４２０を表示することができる。これにより、撮影者は、レンズユニット２００のズームリング２１３によって設定したズーム位置におけるＯＶＦの観察像（光学像）および撮影画枠４２０を、光学ファインダー３００の接眼レンズ群３０１ｆを介して確認しながら撮影することができる。
【００９０】
［３−４．撮影時のズーム動作（２）］
撮影者等がズーム操作を行う際の他の動作について説明する。ここでは、光学ファインダー３００の対物レンズ群３３０によって設定可能な焦点距離の範囲は、レンズユニット２００のズームレンズ群２１０によって設定可能な焦点距離の範囲よりも狭いものとする。例えば、対物レンズ群３３０が５倍ズームに対応しており、ズームレンズ群２１０が１０倍ズームに対応している場合等がこれにあたる。
【００９１】
まず、ズーム動作において、対物レンズ群３３０によって設定が可能な焦点距離の範囲については、上述の「撮影時のズーム動作（１）」と同一または類似である。すなわち、撮影者は、レンズユニット２００のズームリング２１３によって設定したズーム位置を、光学ファインダー３００の接眼レンズ群３０１ｆを介して確認することができる。
【００９２】
次に、ズーム動作において、対物レンズ群３３０によって設定が可能な焦点距離の範囲の上限を超えた場合、マイコン３０８ａはカメラコントローラー１４０から受信した制御信号からその状態を検知して、所定の制御を実施する。
【００９３】
具体的には、例えば、マイコン３０８ａは、対物レンズ群３３０が望遠端または広角端に配置された状態から、カム軸３０３をさらに回転させて遮光板３２０を遮光位置に移動させる。これにより、撮影者はレンズユニット２００のズームリング２１３を介してレンズユニット２００に設定された倍率（ズーム）が、光学ファインダー３００の対物レンズ群３３０に設定可能な倍率（焦点距離）の上限を超えたことを把握することができる。
【００９４】
さらに、マイコン３０８ａは、カメラコントローラー１４０で生成された表示用画像データを受信し、ＥＶＦパネル３０７に表示する。これにより、外光がカットされるため、ＥＶＦパネル３０７によってライブビューを表示させても、光学像と重なることなく被写体像を明瞭に観察することが可能となる。
【００９５】
なお、例えば、マイコン３０８ａは、遮光板３２０を退避位置に保持したままの状態で、かつ対物レンズ群３３０がレンズユニット２００に設定された倍率に応じて望遠端または広角端に移動された状態で、カム軸３０３の駆動を停止してもよい。このとき、マイコン３０８ａは、ＥＶＦパネル３０７には少なくとも撮影画枠４２０を表示し、画像データは表示しない。これにより、ＯＶＦの観察像（光学像）が、ＥＶＦパネル３０７によって表示されるライブビューと重なることなく、被写体像を明瞭に観察することが可能となる。
【００９６】
また、対物レンズ群３３０が望遠端に移動された後、さらにレンズユニット２００が望遠側に移動されたとき、撮影画枠４２０はレンズユニット２００のズームリング２１３によって設定したズーム位置に応じて上記撮影画枠４２０の大きさを変更することで、ＯＶＦによる撮影画枠の観察を継続することが可能となる。
【００９７】
そして、マイコン３０８ａは、ズームレンズ群２１０の倍率（ズーム）の設定が再度対物レンズ群３３０によって設定可能な倍率（ズーム）の範囲内になったとき、遮光板３２０を退避位置に移動させるとともに、カメラコントローラー１４０から受信した制御信号に基づいて、ステッピングモータ３０５に駆動制御信号を送信し、対物レンズ群３３０の倍率を調整する。
【００９８】
［３−５．パララックス補正］
カメラ本体１００に取り付けられたレンズユニット２００の光軸と光学ファインダー３００の光軸（ＡＺ）のずれによって、近接画像のパララックスが発生する。本開示における光学ファインダー３００は、パララックス補正が可能に構成されている。ここでは、そのパララックス補正について図７を用いて詳細に説明する。なお、図７では、（ａ）の広角側から（ｃ）の望遠側にレンズユニット２００のズームレンズ群２１０の位置（倍率）を調整した場合における表示画枠４１０および撮影画枠４２０の状態を示している。
【００９９】
まず、図７（ａ）に示すように、広角側においてはパララックスの発生量が少ないため、マイコン３０８ａは、表示画枠４１０のほぼ中央に撮影画枠４２０を表示する。
【０１００】
次に、図７（ｂ），（ｃ）に示すように、ズームレンズ群２１０の位置を望遠側に移動した場合、パララックスの発生量が次第に増加し、表示画枠４１０に対する撮影画枠４２０のずれが発生する。そこで、マイコン３０８ａは、被写体距離が所定の距離よりも近接した場合、その被写体距離に応じて、撮影画枠４２０の位置を表示画枠４１０内で移動させて、撮影画枠４２０の位置の補正を行う。
【０１０１】
これにより、撮影者は、ズームレンズ群２１０の位置（倍率）を望遠側に設定した場合においても、実際に撮影される範囲である撮影画枠４２０を確認しながら撮影することができる。
【０１０２】
なお、ＥＶＦパネル３０７にライブビュー画像を表示させるときは、マイコン３０８ａはステッピングモータ３０５を介して、光学ファインダー３００の対物レンズ群３３０を望遠端または広角端に駆動し、さらにカム軸回転させることによって、遮光板回転軸３２０ａを回転させ、遮光板３２０を遮光位置に移動させる。これにより、外光がカットされるため、ＥＶＦパネル３０７のライブビューがＯＶＦの観察像（光学像）と重なることなく、被写体像を明瞭に観察することが可能となる。
【０１０３】
［４．実施の形態の効果等］
以上のように、本実施の形態における光学ファインダー３００において、マイコン３０８ａは、ＥＶＦパネル３０７には少なくとも撮影画枠４２０を表示するとともに、レンズユニット２００のズームレンズ群２１０に応じて対物レンズ群３３０を駆動制御する。これにより、撮影者は、レンズユニット２００のズームリング２１３によって設定したズーム位置における光学ファインダー３００の観察像および撮影画枠４２０を、接眼レンズ群３０１ｆを介して確認しながら撮影することができる。したがって、撮影者は、被写体の視認性に優れた状態で撮影をすることができる。また、光学ファインダーによって被写体像を確認しているため、動体の追尾性が高い。さらに、レンズユニット２００の撮影画枠４２０より広い視野枠３１０ｇを有しているため、表示画枠４１０によって撮影画枠４２０の周辺を確認することができる。これにより、動体の撮影画枠への侵入等、動体の動きを予測した撮影が可能となる。
【０１０４】
また、マイコン３０８ａは、被写体距離が所定の距離よりも近接した場合、その被写体距離に応じて撮影画枠４２０の位置を表示画枠４１０内で移動させて、撮影画枠４２０の位置の補正を行うことができる。すなわち、本実施形態における光学ファインダー３００は、パララックス補正が可能に構成されている。これにより、撮影者は、ズームレンズ群２１０の位置（倍率）を望遠側に設定した場合においても、実際に撮影される範囲である撮影画枠４２０を確認しながら撮影することができる。
【０１０５】
なお、本開示では、プリズムとして、ダハプリズム３０１ｃ並びに第１および第２プリズム３０１ｄ，３０１ｅを使用するものとしたが、ダハプリズム３０１ｃを用いない構成、例えばポロタイプによって実現してもかまわない。ダハプリズムを使用した系は小型化したい場合に好適であり、ポロタイプは簡単に形成することができるメリットがある。
【０１０６】
また、光学ファインダー３００の対物レンズ群３３０において、第１ズームレンズ３０１ａと第２ズームレンズ３０１ｂとが連動して変倍動作を行うものとしたが、いずれか一方が光軸（ＡＺ）方向に移動して変倍動作を行うようにしてもかまわない。
【０１０７】
以上のように、本開示における技術の例示として、実施の形態を説明した。そのために、添付図面および詳細な説明を提供した。
【０１０８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０９】
また、上述の実施の形態は、本開示における技術を例示するためのものであるから、特許請求の範囲またはその均等の範囲において種々の変更、置き換え、付加、省略などを行うことができる。
【産業上の利用可能性】
【０１１０】
本開示は、レンズ交換式の撮像装置および撮像システム、例えばレンズ交換式のデジタルカメラ等に好適である。
【符号の説明】
【０１１１】
１００  カメラ本体
１３３  Ｘ接点端子
１３４  シリアル通信ポート（通信接点）
２００  レンズユニット（交換レンズ）
３００  光学ファインダー
３０１  ファインダー光学系
３０１ａ  第１ズームレンズ（対物レンズ）
３０１ｂ  第２ズームレンズ（対物レンズ）
３０１ｇ  視野枠
３０５  ステッピングモータ（駆動源）
３０６  フォトインタラプタ（検出器）
３０７  ＥＶＦパネル（表示装置）
３０８ａ  マイコン（制御回路）
３０８ｂ  ＤＣ／ＤＣコンバータ
３１０  シリアル交信接点（電気接点）
３２０  遮光板
３３０  対物レンズ群
４２０  撮影画枠
【図１】
2014191110.tif 000003
【図２】
2014191110.tif 000004
【図３】
2014191110.tif 000005
【図５】
2014191110.tif 000006
【図６】
2014191110.tif 000007
【図７】
2014191110.tif 000008
【図４】
2014191110.tif 000009